(57)【要約】【課題】本明細書は、冷媒流路１２を塞ぐロアカバー１６がガスケット１４を挟んで筐体下面に取り付けられている電力制御装置１０において、ガスケット１４への水の付着を防止する。【解決手段】電力制御装置１０は、その筐体１１の下部に設けられている冷媒流路１２と、冷媒流路１２を塞ぐロアカバー１６を備えている。ロアカバー１６は、冷媒流路１２を囲むように配置されたガスケット１４を挟んで筐体１１の下面に取り付けられている。筐体１１の前面１１２には、冷媒流路１２と連通している流路口１９ａ、１９ｂが設けられている。そして、筐体１１には、流路口１９ａとガスケット１４の間で筐体１１から突出している壁１７が設けられている。流路口と管との繋ぎ目から漏れた冷媒は、筐体の前面に沿って下方へ移動する。壁１７が、冷媒を阻み、冷媒がガスケット１４へ到達することを防ぐ。【選択図】図３
2019091764.tif 000002
【特許請求の範囲】
【請求項１】
電力制御装置の筐体の下部に設けられている冷媒流路と、
前記冷媒流路を囲むように配置されたガスケットを挟んで前記筐体の下面に取り付けられており、前記冷媒流路を塞ぐカバ−と、
前記筐体の側面に設けられており、前記冷媒流路と連通している流路口と、
前記流路口と前記ガスケットの間で前記筐体から突出している壁と、
を備えている、電力制御装置。
【発明の詳細な説明】
【技術分野】
【０００１】
本明細書が開示する技術は、走行用モータに供給する電力を制御する電力制御装置に関する。
【背景技術】
【０００２】
電気自動車は、走行用モータに供給する電力を制御する電力制御装置を搭載している。電力制御装置は、大電力を扱うため、液体冷媒を使った冷却器を備える。特許文献１−３に、液体冷媒を使う冷却器が筐体内に備えられている電力制御装置が開示されている。また、車載される電力制御装置には、水滴が付着する可能性があり、その筐体には耐水性が求められる。
【０００３】
特許文献１には、筐体の下部に冷媒流路が設けられている電力制御装置が開示されている。冷媒流路の周囲を囲むように筐体の下面にガスケットが配置され、冷媒流路を塞ぐように、ガスケットを挟んでカバ−が下面に取り付けられている。一方、筐体の側面には、冷媒流路に連通している流路口が設けられている。
【先行技術文献】
【特許文献】
【０００４】
【特許文献１】特開２０１６−１１１２５０号公報
【特許文献２】特開２０１６−０７６５１１号公報
【特許文献３】特開２０１５−２１６２９５号公報
【発明の概要】
【発明が解決しようとする課題】
【０００５】
筐体の側面に設けられた流路口には、冷媒を通す管（冷媒管）が接続される。筐体の側面の流路口と冷媒管の継ぎ目から冷媒が漏れる場合がある。漏れた冷媒は、筐体の側面から下面へと伝い、ガスケットに付着するおそれがある。ガスケットに付着した水分は、ガスケットやその周囲の腐食（劣化）を早める原因となり得る。本明細書は、冷媒流路を塞ぐカバ−がガスケットを挟んで筐体下面に取り付けられている電力制御装置において、ガスケットへの水の付着を防ぐ技術を提供する。
【課題を解決するための手段】
【０００６】
本明細書が開示する電力制御装置は、その筐体の下部（下面）に設けられている冷媒流路と、冷媒流路を塞ぐカバ−を備えている。カバ−は、冷媒流路を囲むように配置されたガスケットを挟んで筐体の下面に取り付けられている。筐体の側面には、冷媒流路と連通している流路口が設けられている。そして、筐体には、流路口とガスケットの間で筐体から突出している壁が設けられている。流路口と管との繋ぎ目から漏れた液体冷媒は、筐体側面に沿って下方に伝わる。液体冷媒は筐体側面から下面に伝わる可能性がある。しかし、筐体には、流路口とガスケットの間で筐体から突出している壁が設けられている。流路口と管との繋ぎ目から漏れた液体冷媒は、壁に阻まれてガスケットまで到達することができない。それゆえ、ガスケットに水が付着することが防止される。
【０００７】
本明細書が開示する技術の詳細とさらなる改良は以下の「発明を実施するための形態」にて説明する。
【図面の簡単な説明】
【０００８】
【図１】実施例の電力制御装置の斜視図である。
【図２】実施例の電力制御装置を斜め下からみた斜視図である。
【図３】図１のIII−III線に沿った断面図である。
【図４】比較例（防護壁を有さない電力制御装置）の断面図である。
【発明を実施するための形態】
【０００９】
図面を参照して実施例の電力制御装置１０を説明する。図１に、電力制御装置１０の斜視図を示す。図２に、電力制御装置１０を斜め下からみた斜視図を示す。図２は、ロアカバー１６を外した図である。
【００１０】
実施例の電力制御装置１０は、電気自動車に搭載され、走行用モータの駆動電力を制御するデバイスである。図中のＸＹＺ座標系は、電力制御装置１０に固定された座標系である。電力制御装置１０は、＋Ｚ方向が上となる姿勢で使われる。図２では、図中の下向きが＋Ｚ方向であることに留意されたい。
【００１１】
電力制御装置１０の筐体１１の前面１１２には、４個の流路口１８ａ、１８ｂ、１９ａ、１９ｂが設けられている。筐体１１には、２個の冷媒流路が内蔵されており、流路口１８ａ、１８ｂは、上段の冷媒流路と連通しており、流路口１９ａ、１９ｂは、下段の冷媒流路と連通している。流路口１８ｂと１９ａは、連結管２１で接続されている。流路口１８ａと１９ｂは、筐体１１の外の冷媒循環装置（不図示）に接続されている。冷媒循環装置から供給される冷媒は、流路口１８ａを通じて上段の冷媒流路に導かれる。冷媒は、上段の冷媒流路を通った後、流路口１８ｂ、連結管２１、流路口１９ａを通じて下段の冷媒流路へと流れる。下段の冷媒流路を流れた冷媒は、流路口１９ｂから排出され、冷媒循環装置に戻る。冷媒は液体であり、水、あるいは、ＬＬＣ（Long Life Coolant）である。
【００１２】
電力制御装置１０の筐体１１は、その下部に冷媒が流れる流路（冷媒流路１２）を備えている（図２参照）。冷媒流路１２が、上記した下段の冷媒流路に相当する。冷媒流路１２は、筐体１１の外側の下面１１５に設けられている。冷媒流路１２は、仕切板１３によって、横方向（Ｙ方向）で、供給路１２１と排出路１２２に二分されている。供給路１２１は、筐体１１の前面１１２に設けられている流路口１９ａと連通しており、排出路１２２は、前面１１２に設けられている流路口１９ｂと連通している。仕切板１３は、前方から後方へ向けて延びており、途中で終わっている。供給路１２１と排出路１２２は、冷媒流路１２の後部のＵターン部１２３でつながっている。先に述べたように、液体の冷媒は、流路口１９ａから冷媒流路１２に供給される。流路口１９ａを通して供給された冷媒は、供給路１２１、Ｕターン部１２３、排出路１２２を通り、流路口１９ｂから排出される。筐体１１の内部で冷媒流路１２と対向するように発熱量の大きい電気部分が配置される。電気部品の熱は、冷媒流路１２を通る冷媒に吸収される。
【００１３】
筐体１１の下部（下面１１５）に設けられた冷媒流路１２は、下側（冷媒流路１２の底）が開放されている。筐体１１の下面１１５には、冷媒流路１２を囲むようにガスケット１４が配置される。冷媒流路１２の解放されている底面は、ロアカバー１６で覆われる。ロアカバー１６は、ガスケット１４を挟んで筐体１１の下面１１５に取り付けられる。ロアカバー１６は、複数のボルト２８で下面１１５に取り付けられる。筐体１１の下面１１５には、ボルト２８と螺合する複数のボルト孔２９が、冷媒流路１２とガスケット１４を囲むように設けられている。図２では、複数のボルト２８のうち、１個のボルトにのみ符号２８を付し、残りのボルトについては符号を省略した。同様に、複数のボルト孔２９のうち、１個のボルト孔にのみ符号２９を付し、残りのボルト孔については符号を省略した。
【００１４】
ガスケット１４は、金属ガスケットでもよいし、ゴムガスケットでもよい。あるいは、ガスケット１４は、ＦＩＰＧ（Formed In Place Gasket）でもよい。実施例の場合は、ガスケット１４は、ＦＩＰＧである。ＦＩＰＧは、最初はゲル状であり、空気に触れると固化する。
【００１５】
筐体１１の下面１１５には、前面１１２との境界に防護壁１７が設けられている。防護壁１７は、流路口１９ａ、１９ｂと、ロアカバー１６（ガスケット１４）との間に設けられている。防護壁１７は、ロアカバー１６の流路口１９ａ、１９ｂに近い縁に沿って延びている。さらに別言すれば、防護壁１７は、流路口１９ａ、１９ｂの下方でロアカバー１６の縁（ガスケット１４の縁）に沿って設けられている。
【００１６】
図３に、図１のIII−III線に沿った断面図を示す。図３の断面図は、図中の座標系のＸＺ平面に平行な平面であって流路口１９ａと連結管２１を通る平面でカットした断面図である。図３では、筐体１１の上部は図示を省略した。先に述べたように、筐体１１の内部には、冷媒流路１２と対向するように電気部品９０が配置されている。電気部品９０は、例えば、リアクトルやコンデンサである。また、先に述べたように、筐体１１の下面１１５には、流路口１９ａ、１９ｂの下方であって、ロアカバー１６の流路口１９ａ、１９ｂに近い縁に沿って防護壁１７が設けられている。
【００１７】
防護壁１７の機能を説明する。図３において破線Ａで囲った範囲の拡大図を図３の下側に示す。防護壁１７の上方には、流路口１９ａ、１９ｂが位置している。流路口１９ａには、連結管２１が接続される。流路口１９ｂには、不図示の冷媒循環装置から延びる管が接続される。流路口１９ａ、１９ｂと管（連結管２１等）の継ぎ目から液体の冷媒が漏れる可能性がある。継ぎ目から漏れた冷媒は筐体１１の前面１１２を伝って下方に移動する。防護壁１７は、流路口１９ａ、１９ｂとガスケット１４の間に位置しており、筐体１１の前面１１２から下面１１５へと移動した水滴がガスケット１４に付着することを防止する。ガスケット１４に付着した水は、ガスケット１４やその周辺の腐食(劣化）を早める原因となる。防護壁１７は、ガスケット１４への水分の付着を防止し、ガスケット１４やその周辺の劣化を抑える。
【００１８】
また、防護壁１７は、次の利点も有する。実施例の電力制御装置１０では、ガスケット１４の前縁が筐体１１の前面１１２に近い。そして、ガスケット１４は、当初はゲル状であるＦＩＰＧである。図４に、比較例（防護壁を有さない電力制御装置９１０）の断面図を示す。電力制御装置９１０では、流路口１９ａとガスケット１４の間の距離が短く、かつ、ガスケットがＦＩＰＧ（Formed In Place Gasket）である。固化前のＦＩＰＧを筐体下面１１５に塗布し、ロアカバー９１６を取り付けたときに、ロアカバー９１６と下面１１５の間から押し出されたゲル状のＦＩＰＧ９１４が流路口１９ａに付着するおそれがある。図４のポイントＰ２が、流路口１９ａの内側にまで達したＦＩＰＧ９１４を示している。一方、実施例の電力制御装置１０では、ガスケット１４の前縁に沿って防護壁１７が設けられているので、下面１１５とロアカバー６の間から押し出されたＦＩＰＧは、防護壁１７に阻まれ、流路口１９ａに達することはない。図３のポイントＰ１が、防護壁１７に阻まれたＦＩＰＧを示している。
【００１９】
以上説明したように、筐体１１の前面１１２に設けられた流路口１９ａ、１９ｂと筐体１１の下面１１５に配置されたガスケット１４の間に、ガスケット１４に沿って延びる防護壁１７を設けることで、ガスケット１４への水分の付着が防止できる。
【００２０】
実施例で説明した技術に関する留意点を述べる。実施例の流路口１９ａ、１９ｂが、冷媒流路と連通している流路口の一例に相当する。流路口は、筐体の前面でなく、側面あるいは後面に設けられていてもよい。防護壁１７が、流路口とガスケットの間で筐体から突出している壁の一例に相当する。
【００２１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２２】
６：ロアカバー
１０：電力制御装置
１１：筐体
１２：冷媒流路
１３：仕切板
１４：ガスケット
１６：ロアカバー
１７：防護壁
１８ａ、１８ｂ、１９ａ、１９ｂ：流路口
２１：連結管
２８：ボルト
２９：ボルト孔
９０：電気部品
１１２：前面
１１５：下面
１２１：供給路
１２２：排出路
１２３：Ｕターン部
９１０：電力制御装置
９１６：ロアカバー
【図１】
2019091764.tif 000003
【図２】
2019091764.tif 000004
【図３】
2019091764.tif 000005
【図４】
2019091764.tif 000006